(57)【要約】【課題】  棚の前面のデザインを損なうことなく、格納した物品の物品名が簡易に分かるようにし、又防虫剤・吸湿剤・芳香剤等の薬剤を収納するとそれらの状態が直ちに分かり、又交換も容易にできる引き出し棚を提供する。【解決手段】  和服Ｂ１を引き出し箱１０に、洋服Ｂ２を引き出し箱１１に、和服帯Ｂ３・締紐・足袋等を引き出し箱１２に格納した引き出し棚１において、各引き出し箱１０，１１，１２の前面板１０ｂ，１１ｂ，１２ｂの内部側面に小さな巾のプラスチック製収納ポケット１３ａ，１４ａ，１５ａ，１６ａが両面粘着テープ１０ａ，１１ａ，１２ａによって付着されている。引き出し箱１０の収納ポケット１３ａにはこの箱に格納した物品の物品名「和服」と、その柄「あやめ柄／さくら柄」と、使用者「和子／由利」とを記入した格納物品表示カード１７が差し込まれている。【選択図】          図１
0003107415.tif 000002
【実用新案登録請求の範囲】
【請求項１】
物品を格納する引き出し箱を複数設けた引き出し棚に於いて、引き出し箱の把手が付いた前面板の箱内部側面に、小物品を収納してその出入口を有する収納ポケットを設けたことを特徴とする引き出し棚。
【請求項２】
収納ポケットが上方を開口した小型の箱形又は袋状である、請求項１記載の引き出し棚。
【請求項３】
収納ポケットのポケット本体の側面を両面粘着テープで前面板の箱内部側面に付着させて設けるようにした、請求項１又は２記載の引き出し棚。
【請求項４】
収納ポケットのポケット本体の側面に面ファスナーを固着し、又前面板の箱内部側面に係止する相手方となる面ファスナーを固着し、両面ファスナーを圧接させて係止して収納ポケットを前面板の箱内部側面に脱着自在に設ける、請求項１又は２記載の引き出し棚。
【請求項５】
収納ポケットが、前面板の箱内部側面の一部を陥凹させて形成された、請求項１記載の引き出し棚。
【請求項６】
収納ポケットが、前面板の箱内部側面の一部を陥凹し、同陥凹部に小さな上方開口の小容器を取付け、同小容器に小物品の収納させるようにした請求項１記載の引き出し棚。
【請求項７】
収納される小物品が、引き出し箱に格納された物品の物品名を表示した格納物品表示カードである、請求項１〜６何れか記載の引き出し棚。
【請求項８】
収納される小物品が防虫剤である、請求項１〜６何れか記載の引き出し棚。
【請求項９】
収納される小物品が乾燥剤又は吸湿剤である、請求項１〜６何れか記載の引き出し棚。
【請求項１０】
収納される小物品が芳香剤である、請求項１〜６何れか記載の引き出し棚。
【請求項１１】
引き出し箱に格納した物品の物品名又は収納ポケットに収納された格納物品表示カード以外の小物品の物品名を表示した格納物品表示カードを収納ポケットに収納させた、請求項８，９，１０記載の引き出し棚。
【考案の詳細な説明】
【技術分野】
【０００１】
本考案は、物品を格納するプラスチック製・木製又は金属製の引き出し箱を複数設けた引き出し棚において、外観デザインを損なうことなく格納物を分かり易く表示できる技術及び引き出し箱に入れた防虫剤・吸湿剤・芳香剤等の小物品の交換作業性をよくする技術に関する。
【背景技術】
【０００２】
従来、物品を格納する引き出し箱を出し入れ自在に複数設けた引き出し棚において、その引き出し箱に格納した物品の表示は一般にその引き出し箱の把手のある前面板の正面に格納した物品名を記入した表示カードを付着させる方法でなされる。この例として実開平４−２３４６３号公報の「商品陳列用補助具」が知られている。
又、引き出し箱の防虫剤・吸湿剤・芳香剤は、衣服等の物品の間に入れたり、又は引き出し箱の内部に場所を特定せずに置いている。
前者の格納物品の表示カードは、引き出し箱毎にその前面に付着されるので、格納物品の表示は明確に分かるが、引き出し棚が整理棚風になって、室内の美観上好ましくないものであった。又後者の防虫剤等薬剤の収容は、防虫剤等の薬剤の減り量及び交換時期がその薬剤を積極的に箱内部から取り出して見ないと分からずに、その時期を失することが多く、管理しにくいものであった。
【特許文献１】実開平４−２３４６３号公報
【考案の開示】
【考案が解決しようとする課題】
【０００３】
本考案が解決しようとする課題は、従来のこれら問題点を解消し、棚の前面のデザインを損なうことなく、格納した物品の物品名が簡易に分かり、又防虫剤・吸湿剤・芳香剤等薬剤の減り具合・吸水具合が引き出し箱を引いて開けるだけで一瞥で分かり、又それら薬剤の交換が簡単にできるという実用的な引き出し棚を提供することにある。
【課題を解決するための手段】
【０００４】
かかる課題を解決した本考案の構成は、
１）  物品を格納する引き出し箱を複数設けた引き出し棚に於いて、引き出し箱の把手が付いた前面板の箱内部側面に、小物品を収納してその出入口を有する収納ポケットを設けたことを特徴とする引き出し棚
２）  収納ポケットが上方を開口した小型の箱形又は袋状である、前記１）記載の引き出し棚
３）  収納ポケットのポケット本体の側面を両面粘着テープで前面板の箱内部側面に付着させて設けるようにした、前記１）又は２）記載の引き出し棚
４）  収納ポケットのポケット本体の側面に面ファスナーを固着し、又前面板の箱内部側面に係止する相手方となる面ファスナーを固着し、両面ファスナーを圧接させて係止して収納ポケットを前面板の箱内部側面に脱着自在に設ける、前記１）又は２）記載の引き出し棚
５）  収納ポケットが、前面板の箱内部側面の一部を陥凹させて形成された、前記１）記載の引き出し棚
６）  収納ポケットが、前面板の箱内部側面の一部を陥凹し、同陥凹部に小さな上方開口の小容器を取付け、同小容器に小物品の収納させるようにした前記１）記載の引き出し棚
７）  収納される小物品が、引き出し箱に格納された物品の物品名を表示した格納物品表示カードである、前記１）〜６）何れか記載の引き出し棚
８）  収納される小物品が防虫剤である、前記１）〜６）何れか記載の引き出し棚
９）  収納される小物品が乾燥剤又は吸湿剤である、前記１）〜６）何れか記載の引き出し棚
１０）  収納される小物品が芳香剤である、前記１）〜６）何れか記載の引き出し棚
１１）  引き出し箱に格納した物品の物品名又は収納ポケットに収納された格納物品表示カード以外の小物品の物品名を表示した格納物品表示カードを収納ポケットに収納させた、前記８），９），１０）記載の引き出し棚
にある。
【考案の効果】
【０００５】
本考案によれば、引き出し箱の把手が付いた前面板の箱内部側面に出入口がある収納ポケットを設けている。この収納ポケットに収納した物品の物品名・使用者名・個数等の情報を記入した格納物品表示カードを差し込んで置けば、引き出し箱を引いてその内部手前の収納ポケットに収納された同格納物品表示カードを取り出して読むことで、この引き出し箱に格納した物品が直ちに理解でき、重なった物品を引っ張り出して確認せずに済み、迅速且つ容易に格納物品名が分かる。又防虫剤・吸湿剤等の薬剤を収納ポケットに収容している場合は、引き出し箱を引いて上から見るだけで、あるいは収納ポケットから薬剤を引き上げて見ることによって、薬剤の減り具合・吸水量が直ちに分かり、薬剤の交換時期が容易に判断でき、又その交換も簡単である。
このように、収納ポケットは箱内部であるので、引き出し棚の正面美観・デザインを損なうことはなく、又箱内部の手前の一定場所に小物品を置くこととなるので小物品の発見と小物品の状態判断と交換作業が迅速にできる。
【考案を実施するための最良の形態】
【０００６】
本考案の収納ポケットに収納する小物品としては、引き出し箱内部に格納した物品の物品名・その使用者・個数等の格納物品表示カード、防虫剤・吸湿剤・芳香剤等の薬剤の他に、ネクタイピン、クリップ、ボタン、紐、念珠、宝石等も可能である。
又、本発明の収納ポケットは、引き出し箱に比べて巾が小さな箱容器状、又は巾が短い袋状のもので前面板とは別体の後付けのもの、又は前面板と一体成形のものがある。あるいは前面板に陥凹してその空間を収納ポケットとする構造、あるいはその陥凹部に小容器を収容し、同小容器に小物品を収納させる構造もある。
格納物品表示カードは、紙製・プラスチック製で鉛筆・ボールペン・筆・ペンで記入できるものである。又その記入事項としては、物品名、物品の柄・色、使用者名、格納年月日、個数等の文字・図形・記号の情報である。又別体の収納ポケットの素材はプラスチック、布製が巾、厚みを薄くできて耐久性があるので好ましいが、これに限定するものではない。
【実施例１】
【０００７】
以下、本考案の実施例１を図面に基づいて説明する。本実施例１は衣服及びその付属品を格納する引き出し棚の例で、一つの段の引き出し箱には２個の収納ポケットを両面粘着テープで前面板の内側に付着させて設け、一方の収納ポケットには格納した物品の物品名とその使用者をリストした格納物品表示カードを差し込み、他の収納ポケットには吸湿剤と防虫剤を収納させている。更に他の段の引き出し箱には両者を一つの収納ポケットに収納させている。
図１は、実施例１の引き出し箱を示す斜視図である。
図２は、実施例１の要部を示す断面図である。
図３は、実施例１の収納ポケットを示す斜視図である。
【０００８】
図中、１は木製の引き出し棚、１０，１１，１２はその棚の木製引き出し箱、１０ａ，１１ａ，１２ａは把手、１０ｂ，１１ｂ，１２ｂは引き出し箱１０，１１，１２の前面板、１０ｃ，１１ｃ，１２ｃは後面板、１０ｄ，１１ｄ，１２ｄは引き出し箱１０，１１，１２の左右の側面板、１０ｅ，１１ｅ，１２ｅは引き出し箱１０，１１，１２の底板、１３，１４，１５，１６はプラスチック製の巾が小さい箱型の収納ポケット、又、１３ａ，１４ａ，１５ａ，１６ａは収納ポケット１３，１４，１５，１６を前面板１０ａ，１１ａ，１２ａの内側面に付着するための両面粘着テープ、１７は格納物品表示カード、１８は吸湿剤、１９は防虫剤である。Ｂ１は引き出し箱１０，１１に収納される複数の和服、Ｂ２は洋服、Ｂ３は和服帯である。
【０００９】
この実施例１では、二人分の和服Ｂ１を引き出し箱１０に、洋服Ｂ２を引き出し箱１１に、和服帯Ｂ３・締紐・足袋等を引き出し箱１２に格納している。各引き出し箱１０，１１，１２の前面板１０ｂ，１１ｂ，１２ｂの内部側面には小さな巾のプラスチック製収納ポケット１３ａ，１４ａ，１５ａ，１６ａが両面粘着テープ１０ａ，１１ａ，１２ａによって付着して設けられている。
【００１０】
引き出し箱１０の収納ポケット１３ａには、「和服／あやめ柄・・・和子／さくら柄・・・由利」と物品名の名称と柄と使用者の名前（和子，由利）が記入された格納物品表示カード１７が差し込まれて収納されている。引き出し箱１０の別の収納ポケット１４には、防虫剤１９と、吸湿剤１８と、「防虫剤  吸湿剤／防虫剤’０３．０２．２３／吸湿剤’０４．０５．１６」の如く収納した小物品の名前と収納年月日を記入した格納物品表示カード１７とを収納している。
【００１１】
引き出し箱１１の収納ポケット１５には、格納した洋服Ｂ２の服名とその使用者とを記入（図示せず）した格納物品表示カード１７を差し込んで格納している。引き出し箱１２には和服帯Ｂ３を格納している。その引き出し箱１２の前面板１２ｂの内部側面の収納ポケット１６には、防虫剤１９と「和服帯／菊柄／和子／／赤色／由利」を記入（図示せず）した格納物品表示カード１７とを収納している。
【００１２】
いずれも、引き出し箱１０，１１，１２を引き出すと、格納物品表示カード１７がその前面板１０ｂ，１１ｂ，１２ｂの内側面の収納ポケット１３，１４，１５，１６に入っていて、直ちに格納物品表示カード１７を取り出して読むことで、格納された物品の物品名等の情報が分かり、物品を触ったり、取り出したりすることなく格納物品が正確に分かる。しかも、引き出し棚の表面に表われないので、棚の美観を損なうことがない。
【００１３】
又、収納ポケット１４，１６には防虫剤１９，吸湿剤１８が収納されている。従って、引き出し箱１０，１２を引き出して収納ポケット１４，１６からこれらを取り出すことで迅速に防虫剤１９の減り具合（消耗量）、吸湿剤１８の吸水量が分かり、これから防虫剤１９，吸湿剤１８の交換時期か否かが分かる。又、防虫剤１９，吸湿剤１８の交換も、収納ポケット１４，１６という固定位置で、もっとも手前にあることから迅速に行なえる。
【００１４】
この実施例１の収納ポケット１７に於ける収納ポケットの他の構造例を、図４に示す。図４（ａ）の例は、プラスチック製の巾の短い収納ポケット４０の側面と前面板１１ｂの箱内部側面１７ａとに係止し合う二つの面ファスナー４１ａ，４１ｂを設け、同面ファスナー４１ａ，４１ｂの係止で収納ポケット４０を前面板１１ｂに脱着自在に取付けている。そして、物品表示カード１７をこの収納ポケット４０に挿入している例である。
【００１５】
図４（ｂ）の例は、前面板１１ｂの箱内部側面に陥凹部４２を設け、その開口４２ａに小物品落下防止杆４２ａを水平に架設して収納ポケット４３を形成している。収納ポケット４３には小物品として物品表示カード１７を挿入している。
【００１６】
図４（ｃ）の例は、前面板１１ｂの箱内部側面に下方に深い溝ができるように陥凹部４２を設け、同陥凹部４２がそのまま収納ポケット１７を形成する例であり、この収納ポケット１７には芳香剤４４を収納している。
【００１７】
図５（ａ）は図４（ｃ）と同様に前面板１１ｂに陥凹部４２を設け、これを収納ポケット１７とし、これに格納物品表示カード１７を下に従って肉厚となるカード貼付台４５に貼付けたものを収納ポケットに揺動自在又は取り出し自在に収納した例である。
【００１８】
図５（ｂ）に示す例は、前面板１１ｂに陥凹部４２を設け、同陥凹部４２の空間に上方を開口した小容器４６を下端で枢支（４７）し、この小容器４６に格納物品表示カード１７を挿入して収納させた例である。この例では、小容器４６を傾けることで格納物品表示カード１７が取り出し易くなっている。
【産業上の利用可能性】
【００１９】
本考案の引き出し棚は、家庭用の和服整理たんす、ボタン・ネクタイピン・糸等の家庭小物品の整理棚、種々の調味料・薬品の格納棚、種々の寸法形状のボルト・ナット・ナイフ等小道具入れ棚、あるいはコンデンサー、半導体、スピーカー等の電気部品整理棚等に利用できる。
【図面の簡単な説明】
【００２０】
【図１】実施例１の引き出し箱を示す斜視図である。
【図２】実施例１の要部を示す断面図である。
【図３】実施例１の収納ポケットを示す斜視図である。
【図４】本発明の収納ポケットの他の構造例を示す説明図である。
【図５】本発明の収納ポケットの他の構造例を示す説明図である。
【符号の説明】
【００２１】
１  木製引き出し箱
１０，１１，１２  引き出し箱
１０ａ，１１ａ，１２ａ  把手
１０ｂ，１１ｂ，１２ｂ  前面板
１０ｃ，１１ｃ，１２ｃ  後面板
１０ｄ，１１ｄ，１２ｄ  側面板
１０ｅ，１１ｅ，１２ｅ  底板
１３，１４，１５，１６  収納ポケット
１３ａ，１４ａ，１５ａ，１６ａ  両面粘着テープ
１７  格納物品表示カード
１８  吸湿剤
１９  防虫剤
４０  収納ポケット
４１ａ，４１ｂ  面ファスナー
４２  陥凹部
４２ａ  小物品落下防止杆
４３  収納ポケット
４４  芳香剤
４５  カード貼付台
４６  小容器
４７  枢支
Ｂ１  和服
Ｂ２  洋服
Ｂ３  和服帯
【図１】
0003107415.tif 000003
【図２】
0003107415.tif 000004
【図３】
0003107415.tif 000005
【図４】
0003107415.tif 000006
【図５】
0003107415.tif 000007